(57)【要約】      （修正有）【課題】ストリングにより打球面が構成されたラケットの、ストリングの張設作業を、容易かつ確実に行えるようにする。【解決手段】環状部１６の内周面にタイオフホール２２Ｔの開口端部を横切るよう架橋されてなるアーチ形状部２８に対し、ストリングエンド１８Ｅを絡めて結び付けることで、ストリングエンド１８Ｅを環状部１６に固定することができる。よって、タイオフホール２２Ｔに挿通済みのストリングに、ストリングエンドを絡めてノット２６を形成する必要が無くなる。【選択図】図２
2011229730.tif 000002
【特許請求の範囲】
【請求項１】
グリップが形成されたシャフト部と、ストリングが張設されて打球面を構成する環状部とを含むラケットであって、
前記環状部にはストリングを挿通するための複数のホールが形成され、このうちの少なくともタイオフホールに、ストリングエンドを、挿通済みのストリングへと絡めることなく固定するための係止手段が設けられていることを特徴とするラケット。
【請求項２】
前記係止手段は、前記タイオフホールの開口端部を横切るように、前記環状部の内周面に架橋されてなる、アーチ形状部を含むことを特徴とする請求項１記載のラケット。
【請求項３】
前記係止手段は、前記タイオフホールと直交する方向へと、前記環状部の側面から貫通するねじ穴と、該ねじ穴に螺合するねじとを含むことを特徴とする請求項１又は２記載のラケット。
【発明の詳細な説明】
【技術分野】
【０００１】
本発明は、テニスその他の球技に用いられる、ストリングにより打球面が構成されたラケットに関するものである。
【背景技術】
【０００２】
グリップが形成されたシャフト部と、ストリングが張設されて打球面を構成する環状部とを含むラケットは、サイズや形状に細かな違いはあるが、テニスその他の球技に広く用いられる。図４に示された硬式テニス用のラケット１０の場合には、基端部にグリップ（図示省略）が形成されたシャフト部１２の先端部に、スロート部１４を介して環状部１６が形成されている。近年のラケット１０は、軽量化と必要な剛性の確保のために、繊維強化樹脂製のものが一般的となっており、かつ、シャフト部１２、スロート部１４、環状部１６は中空となっている。そして、環状部１６には、ストリング１８を挿通して打球面２０を構成するための、複数のホール２２が形成されている。各ホール２２には、図５に示されるように筒状の樹脂製部品であるグロメット２４が嵌め込まれ、ストリング１８は、このグロメット２４を介してホール２２に挿通される。
このラケット１０においては、従来から、環状部１６にストリング１８を張設するためのグロメット２４の工夫（例えば、特許文献１参照。）や、ストリング１８の張力を簡単に変更することが可能な工夫（例えば、特許文献２参照。）が、発案されている。
【先行技術文献】
【特許文献】
【０００３】
【特許文献１】特開２００３−１０２８７４号公報
【特許文献２】特許第３８０６１３０号公報
【発明の概要】
【発明が解決しようとする課題】
【０００４】
ここで、環状部１６にストリング１８を張る作業の一例を説明する。ストリング１８の張設作業は、例えばラケット長の１７本分の長さにストリング１８を切り、このストリング１８の全長のうち、ショートサイド（メインの半分を張る分）としてラケット長の４．５本分を定める。又、残余の部分をロングサイド（メインの半分とクロスを張る分）を張る分として定める。そして、環状部１６をストリングマシンにセットして、メインストリングから環状部のホール２２に装着されたグロメット２４に挿通していく。そして、ストリングに適切なテンションを掛けながら、ショートサイドの位置までロングサイドを通し、メインストリングが張り終わった状態で。片側のストリングエンドをタイオフする。
【０００５】
このとき、図６に示されるように、既にストリング１８が挿通されたタイオフホール２２Ｔ（タイオフホール２２Ｔはラケット毎に決まっており、通常のホールよりも大きい。）のグロメット２４に、ショートサイドのストリングを通し、メインストリングに絡めて引張ることにより、ストリングエンド１８Ｅにノット２６を形成する。続いて、環状部１６のホール２２に装着されたグロメット２４に、ロングサイドの残りとショートサイドのストリング１８を挿通し、更に、メインストリングの上下を交互に通すようにして、適切なテンションを掛けながらクロスストリングを張り終え、上記と同様に、クロスストリングについても、タイオフホールにてノット２６を形成ことにより、ストリング１８の張設作業が完了する。
【０００６】
しかしながら、以上の手順で行うストリング１８の張設作業は容易ではなく、熟練を要するものである。特に、タイオフのためのノット２６の形成を適切に行わないと、ストリング１８を不用意に切断したり、ストリング１８にテンションロスが発生するなどの不具合が生じてしまう。又、ノット２６が、打球時のストリング１８の振動に悪影響を与え、プレーヤーに伝わる感触が変化してしまうおそれもある。
本発明は、上記課題に鑑みてなされたものであり、その目的とするところは、ストリングにより打球面が構成されたラケットの、ストリングの張設作業を、容易かつ確実に行えるようにすることにある。
【課題を解決するための手段】
【０００７】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【０００８】
（１）グリップが形成されたシャフト部と、ストリングが張設されて打球面を構成する環状部とを含むラケットであって、前記環状部にはストリングを挿通するための複数のホールが形成され、このうちの少なくともタイオフホールに、ストリングエンドを、挿通済みのストリングへと絡めることなく固定するための係止手段が設けられているラケット（請求項１）。
本項に記載のラケットは、タイオフホールの係止手段によって、ストリングエンドを挿通済みのストリングに絡めノットを形成することなく、ストリングエンドをラケットの環状部に固定するものである。
【０００９】
（２）上記（１）項において、前記係止手段は、前記タイオフホールの開口端部を横切るように、前記環状部の内周面に架橋されてなる、アーチ形状部を含むラケット（請求項２）。
本項に記載のラケットは、環状部の内周面にタイオフホールの開口端部を横切るよう架橋されてなるアーチ形状部に対し、ストリングエンドを絡めて結び付けることで、ストリングエンドをラケットの環状部に固定するものである。よって、タイオフホールに挿通済みのストリングに、ストリングエンドを絡めてノットを形成する必要が無い。
【００１０】
（３）上記（１）、（２）項において、前記係止手段は、前記タイオフホールと直交する方向へと前記環状部の側面から貫通するねじ穴と、該ねじ穴に螺合するねじとを含むラケット（請求項３）。
本項に記載のラケットは、環状部の側面からタイオフホールと直交する方向へと貫通するねじ穴にねじを螺合させて、ねじ軸先端部で、タイオフホールに挿通されたストリングエンドをタイオフホールの壁面に押し付け固定するものである。よって、タイオフホールに挿通済みのストリングに、ストリングエンドを絡めてノットを形成する必要が無い。
【発明の効果】
【００１１】
本発明はこのように構成したので、ストリングにより打球面が構成されたラケットの、ストリングの張設作業を、容易かつ確実に行うことが可能となる。
【図面の簡単な説明】
【００１２】
【図１】本発明の実施の形態に係るラケットの、第１の実施の形態に係るストリングエンドの係止手段を示す要部拡大図である。
【図２】図１に示されるストリングエンドの係止手段により、ストリングエンドを固定した状態を示す、ラケット環状部の要部側面図である。
【図３】本発明の、第２の実施の形態に係るストリングエンドの係止手段を示すものであり、（ａ）は（ｂ）のＡ−Ａ断面図、（ｂ）はラケット環状部の要部側面模式図である。
【図４】従来のラケットの、ストリングが張設されて打球面を構成する環状部を示す斜視図である。
【図５】従来のラケットの、環状部のホール部分の断面図である。
【図６】従来のラケットの、タイオフホールに挿通済みのストリングに、ストリングエンドを絡めてノットが形成された様子を示す模式図である。
【発明を実施するための形態】
【００１３】
以下、本発明を実施するための最良の形態を添付図面に基づいて説明する。なお、従来技術と同一部分若しくは相当する部分については、詳しい説明を省略する。
本発明の第１の実施の形態に係るラケット１０は、ストリングエンドの係止手段として、図１、図２に示されるように、アーチ形状部２８を備えている。このアーチ形状部２８は、環状部１６に形成されたタイオフホール２２Ｔの開口端部を横切るように、環状部１６の内周面に架橋されてなるものである。又、このアーチ形状部２８は、図示の例ではラケット１０の環状部１６と一体成形されているが、環状部１６と別体に形成したものを、接着、溶着、嵌合等の適切な固定方法により、タイオフホール２２Ｔの開口端部に固定しても良い。又、タイオフホール２２Ｔにグロメット２４を併用して、このグロメット２４にアーチ形状部を形成しても良い。
【００１４】
一方、図３に示される、本発明の第２の実施の形態に係るラケット１０のように、タイオフホール２２Ｔと直交する方向へと環状部の側面から貫通するねじ穴３０と、ねじ穴３０に螺合するねじ３２とで、ストリングエンド１８Ｅの係止手段を構成することとしても良い。なお、図３の例では、タイオフホール２２Ｔは、環状部１６の内周面と外周面とをつなぐ円筒壁１６ａにより構成されており、かつ、ねじ穴３０を構成する樹脂製の円筒状ボス３４が、環状部１６の側壁と円筒壁１６ａとを貫通するように、適切な方法により固定されている。又、図示のねじ３２は、もくねじが使用されており、その先端部が円筒状ボス３４からタイオフホール２２Ｔ内に突出し、タイオフホール２２Ｔに挿通されたストリングエンド１８Ｅが、円筒壁１６ａに押し付けられる。
【００１５】
上記構成をなす、本発明の実施の形態によれば、次のような作用効果を得ることが可能である。
すなわち、本発明の第１、第２の実施の形態に係るラケット１０は、いずれも、タイオフホール２２Ｔの係止手段によって、ストリングエンド１８Ｅを、タイオフホール２２Ｔに挿通済みのストリング２２に絡めノット２６（図６）を形成することなく、ストリングエンド１８Ｅを環状部１６に固定することができる。
具体的には、本発明の第１の実施の形態では、環状部１６の内周面にタイオフホール２２Ｔの開口端部を横切るよう架橋されてなるアーチ形状部２８に対し、ストリングエンド１８Ｅを絡めて結び付けることで、ストリングエンド１８Ｅを環状部１６に固定することができる。よって、タイオフホール２２Ｔに挿通済みのストリングに、ストリングエンドを絡めてノット２６を形成する必要が無くなる。
【００１６】
又、本発明の第２の実施の形態では、環状部１６の側面からタイオフホール２２Ｔと直交する方向へと貫通するねじ穴３０にねじ３２を螺合させて、ねじ軸先端部で、タイオフホール２２Ｔに挿通されたストリングエンド１８Ｅを、タイオフホール２２Ｔの壁面に押し付け固定することができる。よって、タイオフホール２２Ｔに挿通済みのストリングに、ストリングエンドを絡めノット２６を形成する必要が無くなる。
したがって、本発明の実施の形態によれば、ストリング１８を不用意に切断するおそれも無くなり、ストリング１８にテンションロスが発生するなどの不具合も生じ難くなり、タイオフの作業が容易となる。同様に、ストリング１８の張り始めにおいても、上記係止手段をストリングエンド１８Ｅの固定に用いることができる。又、ノット２６がプレーヤーに伝わる感触を変化させるといった不具合も、回避することが出来る。
なお、本発明の第１、第２の実施の形態に係る係止手段を併用することも可能である。また、本発明の第１、第２の実施の形態では、硬式テニス用ラケットを例示して説明したが、その他の球技に用いられる、ストリングにより打球面が構成されたラケットにも、本発明を採用可能であることは、理解されるであろう。
【符号の説明】
【００１７】
１０：硬式テニス用ラケット、１２：シャフト部、１６：環状部、１８：ストリング、１８Ｅ：ストリングエンド、２０：打球面、２２：ホール、２２Ｔ：タイオフホール、２４：グロメット、２６：ノット、２８：アーチ形状部、３０：ねじ穴、３２：ねじ
【図１】
2011229730.tif 000003
【図２】
2011229730.tif 000004
【図３】
2011229730.tif 000005
【図４】
2011229730.tif 000006
【図５】
2011229730.tif 000007
【図６】
2011229730.tif 000008